【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
第１判定を実行可能な第１判定手段と、
その第１判定手段による判定結果を示すための第１識別情報が表示される第１表示手段と、
その第１表示手段に前記第１識別情報を動的表示させる第１動的表示手段と、
その第１動的表示手段により前記第１識別情報が動的表示される期間を決定する第１動的表示期間決定手段と、
第２判定を実行可能な第２判定手段と、
その第２判定手段による判定結果を示すための第２識別情報が表示される第２表示手段と、
その第２表示手段に前記第２識別情報を動的表示させる第２動的表示手段と、
その第２動的表示手段により前記第２識別情報が動的表示される期間を決定する第２動的表示期間決定手段と、
前記第１表示手段に特定の第１判定結果を示すための前記第１識別情報が表示された場合に、第１特典遊技を実行し、前記第２表示手段に特定の第２判定結果を示すための前記第２識別情報が表示された場合に、第２特典遊技を実行する特典遊技実行手段と、を有した遊技機において、
前記第１判定よりも前記第２判定が実行され易くする第１遊技状態と、前記第２判定よりも前記第１判定が実行され易くする第２遊技状態と、を設定可能な遊技状態設定手段と、
その遊技状態設定手段により前記第１遊技状態が設定される場合に、前記第２識別情報の動的表示における状況に基づいて前記第１遊技状態が設定されたことを遊技者に示すための報知態様を報知する報知タイミングを決定する報知タイミング決定手段と、を有するものであることを特徴とする遊技機。
【手続補正２】
【補正対象書類名】明細書
【補正対象項目名】０００２
【補正方法】変更
【補正の内容】
【０００２】
従来より、パチンコ機などの遊技機は、遊技盤面上に設けられた始動口に遊技球が入球すると、遊技の当否が抽選され、その抽選結果が当たりであった場合には、遊技者に有利となる特典遊技が実行されていた。さらに、特典遊技の実行後に抽選が行われ易くなる遊技状態が設定されたことを報知するものがある。
【手続補正３】
【補正対象書類名】明細書
【補正対象項目名】０００６
【補正方法】変更
【補正の内容】
【０００６】
この目的を達成するために請求項１記載の遊技機は、第１判定を実行可能な第１判定手段と、その第１判定手段による判定結果を示すための第１識別情報が表示される第１表示手段と、その第１表示手段に前記第１識別情報を動的表示させる第１動的表示手段と、その第１動的表示手段により前記第１識別情報が動的表示される期間を決定する第１動的表示期間決定手段と、第２判定を実行可能な第２判定手段と、その第２判定手段による判定結果を示すための第２識別情報が表示される第２表示手段と、その第２表示手段に前記第２識別情報を動的表示させる第２動的表示手段と、その第２動的表示手段により前記第２識別情報が動的表示される期間を決定する第２動的表示期間決定手段と、前記第１表示手段に特定の第１判定結果を示すための前記第１識別情報が表示された場合に、第１特典遊技を実行し、前記第２表示手段に特定の第２判定結果を示すための前記第２識別情報が表示された場合に、第２特典遊技を実行する特典遊技実行手段と、を有し、前記第１判定よりも前記第２判定が実行され易くする第１遊技状態と、前記第２判定よりも前記第１判定が実行され易くする第２遊技状態と、を設定可能な遊技状態設定手段と、その遊技状態設定手段により前記第１遊技状態が設定される場合に、前記第２識別情報の動的表示における状況に基づいて前記第１遊技状態が設定されたことを遊技者に示すための報知態様を報知する報知タイミングを決定する報知タイミング決定手段と、を有するものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項１記載の遊技機によれば、第１判定を実行可能な第１判定手段と、その第１判定手段による判定結果を示すための第１識別情報が表示される第１表示手段と、その第１表示手段に前記第１識別情報を動的表示させる第１動的表示手段と、その第１動的表示手段により前記第１識別情報が動的表示される期間を決定する第１動的表示期間決定手段と、第２判定を実行可能な第２判定手段と、その第２判定手段による判定結果を示すための第２識別情報が表示される第２表示手段と、その第２表示手段に前記第２識別情報を動的表示させる第２動的表示手段と、その第２動的表示手段により前記第２識別情報が動的表示される期間を決定する第２動的表示期間決定手段と、前記第１表示手段に特定の第１判定結果を示すための前記第１識別情報が表示された場合に、第１特典遊技を実行し、前記第２表示手段に特定の第２判定結果を示すための前記第２識別情報が表示された場合に、第２特典遊技を実行する特典遊技実行手段と、を有し、前記第１判定よりも前記第２判定が実行され易くする第１遊技状態と、前記第２判定よりも前記第１判定が実行され易くする第２遊技状態と、を設定可能な遊技状態設定手段と、その遊技状態設定手段により前記第１遊技状態が設定される場合に、前記第２識別情報の動的表示における状況に基づいて前記第１遊技状態が設定されたことを遊技者に示すための報知態様を報知する報知タイミングを決定する報知タイミング決定手段と、を有するものである。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】２７６９
【補正方法】変更
【補正の内容】
【２７６９】
上述した各遊技機のいずれかにおいて、前記遊技機はパチンコ遊技機とスロットマシンとを融合させたものであることを特徴とする遊技機γ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
従来より、パチンコ機などの遊技機は、遊技盤面上に設けられた始動口に遊技球が入球すると、遊技の当否が抽選され、その抽選結果が当たりであった場合には、遊技者に有利となる特典遊技が実行されるものがある（例えば、特許文献１：特開２０１２−２１７７６６号公報）。
しかしながら、更なる遊技の興趣向上が求められていた。
本技術的思想は、上記例示した問題点等を解決するためになされたものであり、遊技の興趣を向上できる遊技機を提供することを目的とする。
＜手段＞
この目的を達成するために技術的思想１の遊技機は、判別を実行可能な判別手段と、その判別手段による判別結果が特定の判別結果である場合に、第１状態から第２状態へと可変される可変手段と、その可変手段の可変動作内容を設定する可変動作設定手段と、その可変動作設定手段により設定された可変動作内容に基づいて前記可変手段を制御する可変制御手段と、を有し、前記可変制御手段は、前記可変動作設定手段により第１可変動作内容が設定された場合には、第１特典がその第１特典とは異なる第２特典よりも付与され易くなるように前記可変手段を可変制御するものであり、前記可変動作設定手段により前記第１可変動作内容とは異なる第２可変動作内容が設定された場合には、前記第２特典が前記第１特典よりも付与され易くなるように前記可変手段を可変制御するものである。
技術的思想２の遊技機は、技術的思想１記載の遊技機において、複数の終了条件を設定する終了条件設定手段と、その終了条件設定手段により設定された前記複数の終了条件の成立を判別する条件判別手段と、その条件判別手段により前記終了条件が成立したと判別した場合に、前記可変制御手段による前記可変手段の可変制御を終了させる可変制御終了手段と、を有し、前記複数の終了条件のうち特定終了条件が成立したことに基づいて前記可変制御終了手段が前記可変制御を終了させた場合には、前記第１特典と前記第２特典とが付与され易い特殊状態が設定されるものである。
技術的思想３の遊技機は、技術的思想２記載の遊技機において、入球手段と、その入球手段に遊技球が入球したことに基づいて第２判別を実行可能な第２判別手段と、その第２判別手段による判別の結果が特定の第２判別結果である場合に特典遊技を実行可能な特典遊技実行手段と、を有し、前記第１特典は、前記第２判別が実行されるものである。
技術的思想４の遊技機は、技術的思想３記載の遊技機において、前記特典遊技実行手段により前記特典遊技が実行された場合に、遊技球が入球困難な第１状態から、その第１状態よりも入球容易となる第２状態へと可変動作可能な可変入球手段を有し、前記第２特典は、前記可変入球手段へ遊技球が入球するものである。
＜効果＞
技術的思想１記載の遊技機によれば、判別を実行可能な判別手段と、その判別手段による判別結果が特定の判別結果である場合に、第１状態から第２状態へと可変される可変手段と、その可変手段の可変動作内容を設定する可変動作設定手段と、その可変動作設定手段により設定された可変動作内容に基づいて前記可変手段を制御する可変制御手段と、を有し、前記可変制御手段は、前記可変動作設定手段により第１可変動作内容が設定された場合には、第１特典がその第１特典とは異なる第２特典よりも付与され易くなるように前記可変手段を可変制御するものであり、前記可変動作設定手段により前記第１可変動作内容とは異なる第２可変動作内容が設定された場合には、前記第２特典が前記第１特典よりも付与され易くなるように前記可変手段を可変制御するものである。
よって、遊技の興趣を向上することができるという効果がある。
技術的思想２記載の遊技機によれば、技術的思想１記載の遊技機の奏する効果に加え、次の効果を奏する。即ち、複数の終了条件を設定する終了条件設定手段と、その終了条件設定手段により設定された前記複数の終了条件の成立を判別する条件判別手段と、その条件判別手段により前記終了条件が成立したと判別した場合に、前記可変制御手段による前記可変手段の可変制御を終了させる可変制御終了手段と、を有し、前記複数の終了条件のうち特定終了条件が成立したことに基づいて前記可変制御終了手段が前記可変制御を終了させた場合には、前記第１特典と前記第２特典とが付与され易い特殊状態が設定されるものである。
よって、遊技の興趣を向上することができるという効果がある。
技術的思想３記載の遊技機によれば、技術的思想２記載の遊技機の奏する効果に加え、次の効果を奏する。即ち、入球手段と、その入球手段に遊技球が入球したことに基づいて第２判別を実行可能な第２判別手段と、その第２判別手段による判別の結果が特定の第２判別結果である場合に特典遊技を実行可能な特典遊技実行手段と、を有し、前記第１特典は、前記第２判別が実行されるものである。
よって、遊技の興趣を向上することができるという効果がある。
技術的思想４記載の遊技機によれば、技術的思想３記載の遊技機の奏する効果に加え、次の効果を奏する。即ち、前記特典遊技実行手段により前記特典遊技が実行された場合に、遊技球が入球困難な第１状態から、その第１状態よりも入球容易となる第２状態へと可変動作可能な可変入球手段を有し、前記第２特典は、前記可変入球手段へ遊技球が入球するものである。
よって、遊技の興趣を向上することができるという効果がある。
【手続補正１５】
【補正対象書類名】明細書
【補正対象項目名】２７７０
【補正方法】変更
【補正の内容】
【２７７０】
１０                        パチンコ機（遊技機）
Ｓ３０６ 第１判定手段
Ｓ３０８ 遊技状態設定手段
Ｓ５０４ 第１動的表示期間設定手段
Ｓ５０８ 第１動的表示手段
Ｓ９０５ 第２判定手段
Ｓ１２０５ 第２動的表示期間設定手段
Ｓ１２０９ 第２動的表示手段
Ｓ５２０３ 報知タイミング決定手段